(57)【特許請求の範囲】
【請求項１】
ヘッド部と、
本体と、
前記本体に位置決めされる真空モジュールであって、前記ヘッド部を介して粉塵を回収するための吸引を生成するように適応される、真空モジュールと、
前記ヘッド部を前記真空モジュールと接続するように適応されるホース部材と、
前記ホース部材と関連するガイド部材と
を備え、
前記ガイド部材は、前記ホース部材の動きをガイドするように適応され、これにより、前記ガイド部材の動きに応答して、前記ホース部材が、引き込み位置と伸長位置との間で自動的に伸長し、それにより前記本体に対して前記ヘッド部を位置決めし、
前記ガイド部材の動きは、制御モジュールにより制御可能であり、前記制御モジュールは、前記ガイド部材と係合可能である可撓性の細長い部材を含み、それにより、前記可撓性の細長い部材の動きに応答して前記ガイド部材を動かす、
真空掃除機。
【請求項２】
前記ガイド部材は、前記ホース部材と同一の伸長方向に沿って伸長可能である、請求項１に記載の真空掃除機。
【請求項３】
前記ガイド部材は、互いに移動可能に関連される複数のガイドユニットを含み、それにより、前記ホース部材の長手方向の軸と平行な伸長軸に沿って伸長する及び引き込む、請求項１に記載の真空掃除機。
【請求項４】
前記複数のガイドユニットは、互いにスライド可能に接続される複数の細長いサブユニットを含み、それにより、前記伸長軸に沿って伸長する又は引き込む、請求項３に記載の真空掃除機。
【請求項５】
前記複数のガイドユニットは、互いにテレスコピックに接続される複数の管状構造を含み、それにより、前記伸長軸に沿って伸長する又は引き込む、請求項３又は４に記載の真空掃除機。
【請求項６】
前記複数のガイドユニットのうち少なくとも１つは、少なくとも１つの位置決め手段を介して前記ホース部材に対して位置決めされる、請求項３から５の何れか一項に記載の真空掃除機。
【請求項７】
前記少なくとも１つの位置決め手段は、前記ホース部材と前記複数のガイドユニットのうち前記少なくとも１つとの間に固定して接続される、請求項６に記載の真空掃除機。
【請求項８】
前記位置決め手段は、前記ホース部材の位置を支持するために前記ガイド部材に設けられる、請求項６又は７に記載の真空掃除機。
【請求項９】
前記少なくとも１つの位置決め手段は、スリーブ部材を含む、請求項６から８の何れか一項に記載の真空掃除機。
【請求項１０】
前記制御モジュールは、電力により作動可能である、請求項１から９の何れか一項に記載の真空掃除機。
【請求項１１】
前記制御モジュールは、電気機構、油圧機構、空圧機構、及び電磁機構のうち１又は複数の下で動作可能である１又は複数の伝達システムを含む、請求項１から１０のいずれか一項に記載の真空掃除機。
【請求項１２】
前記可撓性の細長い部材は、前記ガイド部材の前記複数のガイドユニットと係合可能であり、それにより、前記可撓性の細長い部材の動きに応答して前記複数のガイドユニットを動かす、請求項３から９のいずれか一項に記載の真空掃除機。
【請求項１３】
前記可撓性の細長い部材は、前記ガイド部材の長さの少なくとも一部に沿って進むように配置される、請求項１から１２のいずれか一項に記載の真空掃除機。
【請求項１４】
前記可撓性の細長い部材は、前記ガイド部材の中空部内に、及び前記ガイド部材の中空部内に沿って位置決めされるように配置される、請求項１２又は１３に記載の真空掃除機。
【請求項１５】
前記可撓性の細長い部材は、密閉されているが、前記ガイド部材の前記中空部内で移動可能であるように配置される、請求項１４に記載の真空掃除機。
【請求項１６】
前記可撓性の細長い部材は、少なくとも１つのベルト部材を含む、請求項３から９の何れか一項に記載の真空掃除機。
【請求項１７】
前記ベルト部材は、歯付きベルト部材である、請求項１６に記載の真空掃除機。
【請求項１８】
前記ベルト部材は、前記制御モジュールのギアシステムと係合可能であり、それにより、前記ギアシステムの回転方向の動きに応答して前記複数のガイドユニットを動かす、請求項１６又は１７に記載の真空掃除機。
【請求項１９】
前記制御モジュールは、前記ギアシステムと係合可能である少なくとも１つのクラッチプレートを有する少なくとも１つのクラッチシステムを含む、請求項１８に記載の真空掃除機。
【請求項２０】
前記少なくとも１つのクラッチプレートは、１又は複数の付勢手段を介して前記ギアシステムに対して付勢されるように適応される、請求項１９に記載の真空掃除機。
【請求項２１】
前記ホース部材は、弾性のホースを含む、請求項１から２０の何れか一項に記載の真空掃除機。
【請求項２２】
前記ホース部材は、伸長可能なホースを含む、請求項１から２１の何れか一項に記載の真空掃除機。
【請求項２３】
前記制御モジュールは、前記真空モジュールから独立して動作可能である、請求項１から２２の何れか一項に記載の真空掃除機。
【請求項２４】
前記複数のガイドユニットは互いに対して手動で移動可能であり、それにより、前記伸長軸に沿って前記ガイド部材を伸長する及び引き込む、請求項３から９、１２、１６から２０の何れか一項に記載の真空掃除機。
【請求項２５】
前記複数のガイドユニットのうち１又は複数は、１又は複数のロック手段を介して互いに対して手動で位置決めされるように適応される、請求項２４に記載の真空掃除機。
【発明の詳細な説明】
【技術分野】
【０００１】
本発明は、真空掃除機器に関し、具体的には、排他的にではないが、持ち運び可能な又は手持ち式の真空掃除用電気器具に関する。
【背景技術】
【０００２】
円柱形及び手持ち式の真空掃除機を含む様々なタイプの電気真空掃除機器が、家庭環境及び工業的な環境の両方で広く使用されてきた。一般的な真空掃除機は、一般に、真空ポンプ及び粉塵回収バッグ又はチャンバを有する本体と、その本体を吸引ヘッドに接続するためのパイプ又はホースとを備える。真空掃除機の要求される吸引は、一般に、真空ポンプにより生成される部分的な真空により提供され、あらゆる塵、粉塵、破片屑等は、吸引ヘッドを介して生成された吸引により吸引され、それにより表面から持ち上げられる。持ち上げられた塵は、次に、接続ホースに沿って運ばれ、続いて吸引空気流からフィルタリングされ、処分のために回収バッグ又はチャンバに貯蔵される。
【０００３】
例えば、床、階段、天井及び／又は家具の表面に及ぶ任意の到達可能な表面であり得る、掃除されるべき具体的な位置に吸引ヘッドを容易に配置することを容易にするために、真空掃除機は、典型的には、吸引ヘッドの接続ハンドル又はパイプに対する長さ調整機能を有して設計されており、これにより、ハンドル又はパイプは、ユーザにより彼らの具体的な掃除ニーズを満たすために所望に応じて長く又は短くされ得る。長さ調整は、一般に、ユーザによって手動で、例えば、テレスコピックに接続された２つのハンドル又はパイプユニットを手でスライドさせることにより、続いて、ハンドル又はパイプユニットの任意の移動可能な部品をロック等により手動でロックすることにより、行われ、それにより、伸長された又は引き込まれたハンドル又はパイプユニットの長さを固定する。使用時にハンドル又はパイプの長さ調整が必要とされる場合に、ユーザは一般に、彼又は彼女が真空掃除を続けることができるまでに、掃除活動を停止し、ハンドル又はパイプを新たな所望の長さに手動で調整し、次に、移動可能な部品を手動でロックし、伸長された又は引き込まれたハンドル又はパイプユニットの長さを再び固定しなければいけない。従って、プロセスが、退屈であり、ユーザにとって非常に都合が悪いのも当然である。加えて、従来の真空掃除機で利用可能な長さ調整は、典型的には、限定された数の調整点又は接続点、例えば、１つから２つの伸長可能な又は引き込み可能な接続点に制限され得る。従って、真空掃除機のハンドル又はパイプが、長さの調整可能である場合であっても、実際には、伸長された又は引き込まれたハンドル又はパイプユニットの長さが固定される影響で、ユーザが、彼又は彼女の、掃除されるべき位置からの作業距離を時々物理的に調整しなければいけない可能性が高い。
［本発明の目的］
【０００４】
本発明の目的は、前述の欠点が軽減される真空掃除機を提供する、又は少なくとも有用な代替物を提供することである。
【０００５】
本発明の別の目的は、真空掃除に関する知られた機器に関連する１又は複数の課題を軽減する、又はある程度まで除去することである。
【０００６】
上記の目的は、メインクレームの特徴の組み合わせにより達成される。サブクレームは、本発明の更なる有利な実施形態を開示する。
【０００７】
当業者であれば、以下の説明から本発明の他の目的を導き出すであろう。従って、目的の前述の記述は、包括的ではなく、単に本発明の多くの目的のうちいくつかを示すために機能する。
【発明の概要】
【０００８】
一つの主要な態様において、本発明は、真空掃除機を提供する。真空掃除機は、
ヘッド部と、
本体と、
本体に位置決めされる真空モジュールであって、ヘッド部を介して粉塵を回収するための吸引を生成するように適応される、真空モジュールと、
ヘッド部を真空モジュールと接続するように適応されるホース部材と、
ホース部材と関連するガイド部材と
を備え、
ガイド部材は、ホース部材の動きをガイドするように適応され、これにより、ガイド部材の動きに応答して、ホース部材が、引き込み位置と伸長位置との間で自動的に伸長し、それにより本体に対してヘッド部を位置決めする。
【０００９】
本発明の概要は、本発明を画定するために必須である特徴の全てを必ずしも開示しない。本発明は、開示されている特徴の部分的組み合わせに存在し得る。
【図面の簡単な説明】
【００１０】
本発明の前述の及び更なる特徴が、添付図面に関連してほんの一例として提供されている、好ましい実施形態の以下の説明から明らかになるであろう。添付図面は、以下の通りである。
【図１】本発明の１つの実施形態に係る真空掃除機を示す斜視図である。
【図２】図１の真空掃除機を示す側断面図である。
【図３】図１の真空掃除機を示す上面図である。
【図４】図１の真空掃除機の制御モジュールのベルト部材及びギアシステムを示す分解図であり、ギアシステムの出力ギアが、第１の方向に回転する。
【図５】図４の構成を示す分解図であり、出力ギアが第２の方向に回転する。
【図６】図１の真空掃除機の制御モジュールのクラッチシステムを示す分解図である。
【図７】図６のクラッチプレート及び出力ギアを示す。
【図８】ベルトカバーを有する図４の実施形態を示す分解図である。
【図９】図８のベルトカバーにおけるベルト部材の構成を示す正面図である。
【発明を実施するための形態】
【００１１】
以下の説明は、好ましい実施形態をほんの一例として、かつ、本発明を実行に移すために必要な特徴の組み合わせに限定することなく説明するものである。
【００１２】
本明細書中、「一実施形態（ｏｎｅ  ｅｍｂｏｄｉｍｅｎｔ）」又は「１つの実施形態（ａｎ  ｅｍｂｏｄｉｍｅｎｔ）」という言及は、当該実施形態に関連して説明されている特定の特徴、構造又は特性が、本発明の少なくとも一実施形態に含まれることを意味する。本明細書中の様々な箇所に現れる「一実施形態において（ｉｎ  ｏｎｅ  ｅｍｂｏｄｉｍｅｎｔ）」という文言は、必ずしも全てが、同一の実施形態を指しておらず、また、他の実施形態に対し相互排他的となる個別の実施形態又は代替的な実施形態を指すものでもない。更に、いくつかの実施形態によって示され得、他の実施形態によっては示され得ない様々な特徴が説明される。同様に、いくつかの実施形態の要件であり得、他の実施形態の要件ではあり得ない様々な要件が説明される。
【００１３】
本明細書の特許請求の範囲において、特定の機能を実行するための手段として表現されている何れの要素も、その機能を実行する何れのやり方も包含することが意図されている。したがって、それらの機能を提供できるあらゆる手段は、本明細書において示されるものと等価であると見なされる。
【００１４】
図１を参照すると、本発明の１つの実施形態に係る真空掃除のための電気器具１０が示されている。真空掃除機１０は、吸入口４を有するヘッド部又は吸引ヘッド２を備え、吸入口４を介して、塵、粉塵、破片屑等が、真空掃除機１０の吸引動作によって真空掃除機１０内に吸引され、受け入れられ得る。図に示すとおり、１又は複数の回転ブラシ部材６は、吸入口４に又はその隣りに任意で設けられ得、表面からのヘッド部２による破片屑回収を容易にする。 
【００１５】
真空掃除機１０はまた、本体１２を備え、これらに限定されないが、回収された粉塵及び破片屑を受け入れ、貯蔵するための粉塵回収モジュール１６、及び要求される吸引力を生成するための真空モジュール２０を含む多数の機能部品を収容するためである、本体１２のハウジング１４を有する。この実施形態では、真空モジュール２０は、吸引動作のための部分的な真空又は実質的な真空を生成するための真空ポンプ２２と、例えば、これらに限定されないが、粉塵を含有する入ってくる空気流をフィルタリングするための空気吸入フィルタ２４ａ、及び出ていく空気流をフィルタリングするための空気排出フィルタ２４ｂ等の１又は複数の粉塵フィルタを含み得る。
【００１６】
ヘッド部２を本体１２に、より具体的には、本体１２の真空モジュール２０に接続しているのは、図に示すとおりホース部材３０である。ホース部材３０は、知られているタイプの、可撓性の波形の真空ホース部材であり得る。この実施形態では、ホース部材３０は、好ましくは、プラスチック、例えば、その耐久性及び可撓性のためにポリ塩化ビニル（ＰＶＣ）等の１又は複数の弾性材料で作製されている、伸長可能なホース、パイプ、チューブ等の形態である。ホース部材３０の伸長性は、本体１２に対するヘッド部２の位置決めを可能にし、即ち、ヘッド部２が、本体１２から離れて伸長される、又は本体１２に向かって引き込まれることを可能にする。この実施形態では、ホース部材３０の特定の例が説明されてきたが、当業者であれば、例えば、サイズ、構成、構造及び／又は材料に関して、ホース部材へのあらゆる変更も、その変更が本発明の発明の概念から逸脱することなく好適且つ適用可能と考えられる限り、包含されることを理解するであろう。例えば、代替的な実施形態では、ホース部材３０は、互いに対してテレスコピックに移動可能である複数の管状ユニットを含むチューブ状構造の形態で設けられ得る。管状ユニットのテレスコピックな動きは、ホース部材３０の要求される伸長性（ｅｘｔｅｎｄｉｂｉｌｉｔｙ）又は伸長性（ｓｔｒｅｔｃｈａｂｉｌｉｔｙ）を可能にする。
【００１７】
具体的には、ホース部材３０にはガイド部材４０が配置され、ガイド部材４０は、ホース部材３０の動きをガイドすることが可能であり、これにより、ガイド部材４０の動きに応答して、ホース部材３０は、引き込み位置と伸長位置との間で自動的に伸長し／引き込み（ｅｘｔｅｎｄｓ／ｒｅｔｒａｃｔｓ）、すなわち、伸長し／引き込み（ｓｔｒｅｔｃｈｅｓ／ｃｏｌｌａｐｓｅｓ）、それにより、本体１２に対してヘッド部２を位置決めする。好ましくは、ガイド部材４０は、ホース部材３０と同一の伸長／引き込み方向と実質的に平行に配置され、ホース部材３０と同一の伸長／引き込み方向に沿って伸長可能／引き込み可能である。好ましくは、ガイド部材４０の伸長は、真空掃除機１０のハンドル７に沿って伸長可能／引き込み可能であり、それにより、真空掃除機が、ユーザによりハンドル７で把持されている場合に、ホース部材３０が、実際に、伸長された長さのユーザの腕として機能することを可能にする。
【００１８】
図１及び図２に示すような実施形態において、ガイド部材４０は、互いに移動可能に関連される複数のガイドユニット４０Ａ、４０Ｂ及び４０Ｃを含み得、それにより、ホース部材３０の長手方向の軸と平行な伸長軸に沿ってガイド部材４０を伸長する及び引き込む。複数のガイドユニット４０Ａ、４０Ｂ及び４０Ｃは、互いにスライド可能に接続された複数の細長いサブユニットを含み得、より好ましくは、複数のガイドユニット４０Ａ、４０Ｂ及び４０Ｃは、互いにテレスコピックに接続された複数の管状構造を含み得、それにより、図２においてより明確に示すとおり、伸長軸に沿って伸長する又は引き込む。一実施形態において、ガイド部材４０のガイドユニットは、これらに限定されないが、ポリマ及び／又は金属、好ましくは、その比較的高い物理的強度及び軽量のために、アルミニウム等の任意の適切な材料で形成され得る。
【００１９】
好ましくは、複数のガイドユニット４０Ａ、４０Ｂ及び／又は４０Ｃのうち少なくとも１つが、少なくとも１つの位置決め手段４２を介してホース部材３０に対して配置される。一実施形態において、位置決め手段４２は、ホース部材３０の一部と複数のガイドユニット４０Ａ、４０Ｂ及び／又は４０Ｃのうち１又は複数との間で固定して接続され得る。代替的に、図１及び図２に示すような位置決め手段４２Ａ、４２Ｂ及び４２Ｃ等の位置決め手段４２は、ホース部材３０に支持を提供し、それにより、ホース部材３０を位置決めするためにガイド部材４０のそれぞれのガイドユニット４０Ａ、４０Ｂ及び４０Ｃに配置され得る。好ましくは、位置決め手段４２Ａ、４２Ｂ及び４２Ｃは、図３に図示するとおり、一端でそれぞれのガイドユニット４０Ａ、４０Ｂ及び４０Ｃに接続し、他端でホース部材３０を少なくとも部分的に受け入れる１又は複数のリング又はスリーブ部材を含み得る、又はそれ（ら）の形態で設けられ得る。
【００２０】
同様に、ガイド部材４０及び位置決め手段４２の特定の配置が、様々な実施形態において説明されてきたが、当業者であれば、例えば、サイズ、構成、構造及び／又は材料に関して、ガイド部材及び／又は位置決め手段へのあらゆる変更も、その変更が本発明の発明の概念から逸脱することなく好適且つ適用可能と考えられる限り、本発明に包含されるべきであることを理解されよう。
【００２１】
好ましくは、ガイド部材４０は、これに限定されないが、電力により作動可能である制御モジュール５０により制御可能である。例えば、制御モジュール５０は、電気機構、油圧機構、空圧機構、及び／又は電磁機構のうち１又は複数の下で動作可能である１又は複数の伝達システムを含み得る。一実施形態において、制御モジュール５０は、図４及び図５に示すとおり、電気駆動式モータ５２を有する機械的伝達システムを含み得、その出力シャフト５４は、ギア５６、５８及び６０等の一連のギア部材を含むギアシステム５１と機械的に接続する。好ましくは、ギアシステム５１、具体的には、出力ギア６０は、一端でガイド部材４０と接続された細長い部材６２と係合するよう配置され、それにより、細長い部材６２の動きに応答してガイドユニットを動かす。図に示すような一実施形態において、細長い部材６２は、好ましくは可撓性の材料で作製され、少なくとも１つのベルト部材６２を含み得る。より好ましくは、ベルト部材６２は、歯付きベルト部材６２であり、それにより、ベルト部材６２の歯６４が、ベルト部材６２の他方の端部で出力ギア６０の対応する歯等のギアシステム５１と係合することを可能にする。任意で、位置決めホイール６１が設けられ得、出力ギア６０に対してベルト部材６２を位置決めし、それにより、ベルト部材６２と出力ギア６０との間の近い係合を確保する。 
【００２２】
一実施形態において、ベルト部材６２は、一端で制御モジュール５０のギアシステム５１と接続するよう配置され得、他端は、図２に示すとおり、ガイド部材４０のガイドユニット４０Ａ、４０Ｂ及び／又は４０Ｃのうち１又は複数と接続される。ベルト部材６２の両端の中間部分は、好ましくは、ガイド部材４０の長さの少なくとも一部に沿って進む。ベルト部材６２は、好ましくは、ベルト部材６２が、密閉されるよう配置されており、ガイド部材４０の中空部内で更に移動可能な状態で、ガイド部材４０の中空部内に、及びガイド部材４０の中空部に沿って位置決めされ得る。密閉された配置は、例えば、ガイド部材４０の管状構造の内部の形状に合致するように一般に構成される形状を有するベルト部材６２を有することにより設けられ得、これにより、管状ガイド部材４０の中空部内でのベルト部材６２の横向きの動き及び／又は折り曲がり等の任意の意図されていない動きが低減され、最小化され又は回避される。ベルト部材６２は、ガイド部材４０のガイドユニットの少なくとも端部と接続するよう配置されるので、例えば、係合された出力ギア６０の回転方向の動きは、その長手方向の軸に沿ってベルト部材６２を動かし、これは次に、接続されたガイドユニット４０Ａ、４０Ｂ及び４０Ｃを同一の方向に沿って動かす。より具体的には、ベルト部材４０の長手方向の動きは、ガイドユニット４０Ａ、４０Ｂ及び４０Ｃのうち１又は複数の互いに対するテレスコピックな動きをもたらし、それにより、ベルト部材６２の動きの方向に応じてガイド部材４０の伸長又は引き込みを可能にする。好ましくは、可撓性のベルト部材６２は、ベルトの動きの間ガイド部材４０内でのベルト部材６２の容易な位置ずれ又は折り曲がりを回避するのに十分な剛性を有し、それは、ガイド部材４０内でのベルト部材６２の密閉されているが移動可能である配置により更に支援され得る。一つの代替的な実施形態では、ベルト部材６２は、例えば、ガイド部材４０のガイドユニットの側壁のいくつかの接続点を介してこれに接続されることにより、ガイド部材４０の外部に位置決めされ得る。
【００２３】
更なる一実施形態では、制御モジュール５０は、図６及び図７に示すとおり、出力ギア６０等のギアシステム５１と係合可能である少なくとも１つのクラッチプレート７２を有する少なくとも１つのクラッチシステム７０を含み得る。クラッチプレート７２は、１又は複数の突起及び／又はへこみ７４を設けられ得、１又は複数の突起及び／又はへこみ７４は、これ（ら）との係合のため、出力ギア６０で対応する突起及び／又はへこみ６２と合致（ｃｏｎｆｏｒｍ）又は合致（ｍａｔｃｈ）する。例えば、突起及び／又はへこみ７４は、台形の形状であり得、対向する傾斜した辺の各々は、クラッチプレート７２の中心を指し、各々は、例えば、中心の鉛直軸に対して約４５度より小さいか又はそれに等しい傾斜角度を形成する。代替的に、クラッチプレート７２及び出力ギア６０はまた、クラッチプレート７２及び出力ギア６０の対応する接触面間の摩擦のみを介して係合可能であり得る。
【００２４】
クラッチプレート７２は、１又は複数の付勢手段７８を介して出力ギア６０に対して付勢されるように適応され、１又は複数の付勢手段７８は、例えば、１又は複数のバネ部材７８の形態で設けられ得る。図６に示すような実施形態では、バネ部材７８は、ギア５８のある側に設けられ、それは、クラッチシステム７０を介してモータ５２の出力シャフト５４を出力ギア６０と機械的に接続する。シャフト８２が、バネ部材７８と同一の側にギア５８の中心軸に設けられ得、クラッチシステム７０の多数の中間プレート部材を間に挟むことにより出力ギア６０を接続する。プレート部材は、これらに限定されないが、ばねプレート８４、中間プレート８６及びクラッチプレート７２を含み得る。これらの中間プレート部材は、バネ部材７８により出力ギア６０に向かって押圧され、バネ部材７８の付勢動作の下に位置決めされる。
【００２５】
使用時にモータ５２が電気的に作動される場合に、ギア５８の回転が、接続された出力ギア６０を同一の回転方向に回転させる。例えば、ギア５８の時計回りの回転、ひいては、図４に示すような出力ギア６０の時計回りの回転Ｔ１は、ギア６０の方向に向かってベルト部材６２を引き込み、それにより、本体１２に向かって接続されたガイド部材４０を引き込み、ギア５８の反時計回りの回転、ひいては、図５に示すような出力ギア６０の反時計回りの回転Ｔ１は、ギア６０から離れてベルト部材６２を伸長し、それにより、本体１２から離れてガイド部材４０を伸長する。ギアシステム５１の、ひいては相互接続されたクラッチシステム７０の通常の操作中、クラッチプレート７２は、ギア５８の駆動動作の下で回転可能であり、同時に、出力ギア６０に向かって軸方向Ｔ２に向かって付勢するように配置され、ひいては、出力ギア６０に対して押圧し、出力ギア６０と係合する。ギア５８の駆動回転は、したがって、ギア５８と同一の方向に出力ギア６０を回転させ、ガイド部材４０を伸長する又は引き込む。
【００２６】
ガイド部材４０が、その伸長の最大長までテレスコピックに伸長される、又はその引き込みの最小長まで引き込まれる場合に、ガイド部材４０の更なる伸長又は引き込みが物理的に妨げられ、ひいては、出力ギア６０で抵抗が生成される。クラッチプレート７２が、反回転反力Ｔ１'並びに反軸反力Ｔ２'を受ける。特に、反軸反力Ｔ２'がバネ部材７８により設けられる付勢力Ｔ２より大きくなるように生じる場合に、クラッチプレート７２は、出力ギア６０から係合解除するようにされ、それにより、出力ギア６０の更なる回転を妨げる。更なるベルト部材６２の伸長又は引き込み、ひいてはガイド部材４０の伸長又は引き込みは生じない。クラッチシステム７０は、従って、ガイド部材４０のテレスコピックな動きが一定の最大値又は最小値に達した場合に、伝達システムの駆動を有する出力ギア６０の自動切断を可能にすることにおいて有益であり、このことは、そうでなければ、ギアシステム５１、モータ５２、又は真空掃除機１０にさえ損傷を与え得る。
【００２７】
制御モジュール５０のクラッチシステム７０が、特定の実施形態として上記で説明されているが、本発明は、伝達機構の自動切断を提供することにおいて例示されているシステムに限定されるべきではないことが理解されよう。例えば、任意の知られている形態の集積回路遮断機が、制御モジュール５０に設けられ得、モータ５２への電力供給を電気的に切断し、及び／又はモータ５２からの回転駆動力を停止し、それにより、ガイド部材４０の更なる動きを妨げる。
【００２８】
更なる一実施形態では、図８及び図９に示すとおり、ホイールキャップ又はベルトカバー９０が任意で設けられ得、保護のために出力ギア６０及び係合されたベルト部材６２を覆う。ベルトクランプ９２が、更に設けられ得、出力ギア６０及びベルトカバー９０に対してベルト部材６２の位置を固定する。 
【００２９】
本発明において具現化される真空掃除機１０は、一般に、ＡＣ電源により電力を供給され得るが、任意で、ＤＣバッテリー及び／又は補助電源又は代替電源として再充電可能バッテリーパックを含み得る。図１から図３に示すとおり、真空掃除機１０は、真空掃除機１０への電力供給を制御するための第１メインスイッチ３、及びホース部材３０の伸長及び引き込みを作動し、制御するための第２スイッチ５を備え得る。一実施形態において、メインスイッチ３は、真空モジュール２０と電気的に接続するように配置され得、真空ポンプ２２への電力供給を可能にし、第２スイッチ５は、制御モジュール５０と電気的に接続され得、モータ５２に電力供給を提供する。第２スイッチ５は、ガイド部材４０、ひいてはホース部材３０それぞれの伸長及び引き込みの動きを制御するための前進及び後進ボタンを更に含み得る。好ましくは、第１及び第２スイッチ３、５は、同一のプリント回路基板又は異なるプリント回路基板と接続され得、制御モジュール５０及び真空モジュール２０への個別の電気的制御を可能にし、これにより、伝達システム及び真空ポンプ２２等の関連する部品は、独立して操作及び制御され得る。これは、真空ポンプ２２の動作状態に関わらず、ホース部材３０の伸長及び引き込みへの制御が行われることを可能にすることにおいて有益である。動作中真空掃除機１０を把持しているユーザの親指又は指により容易に手動でアクセスできるように、メインスイッチ３及び第２スイッチ５は、ハンドルに、又はハンドルの近くに位置決めされる。結果的に、ユーザは、真空掃除機１０のハンドルに対する彼らの把持を変える必要なく、真空掃除機１０が動作している間、自動的に所望の長さにホース部材を伸長する又は引き込むことができる。
【００３０】
更なる一実施形態では、ガイド部材４０の複数のガイドユニットは、互いに対して手動で移動可能であるように適応され、それにより、その伸長軸に沿ってホース部材３０の手動の、すなわち物理的な伸長及び引き込みを可能にする。特に、ガイドユニット４０Ａ、４０Ｂ及び４０Ｃのうち１又は複数は、互いに対して更に手動で位置決めされ得、及び／又は１又は複数の対応する手動のロック手段（不図示）を介して適所にロックされ得る。複数のガイドユニット、ひいてはホースの手動の伸長／引き込みは、当該複数のガイドユニットが手動で操作される場合に、係合解除するように、又はクラッチの摩擦が克服されるようにクラッチを構成することにより支援され得る。制御モジュール５０により制御可能であるホース部材の自動的な伸長及び引き込みに加えて手動の調整機構を設けることは、ユーザが掃除されるべき位置にヘッド部２を容易に配置する更なる柔軟性を可能にする。
【００３１】
説明されている実施形態により限定されるものではないが、当業者であれば、例えば、寸法、構成、構造、設計及び／又はその１又は複数の部品を形成する材料に関して、真空掃除機へのあらゆる変更も、その変更が本発明の発明の概念から逸脱することなく好適且つ適用可能と考えられる限り、本発明に包含されるべきであることを簡単に理解するであろう。例えば、一実施形態において、ホース部材３０は、１又は複数の相互接続された導管等の１又は複数の接続手段を介して本体１２と接続するよう配置され得、それ（ら）は、ホース部材３０と本体１２の真空モジュール２０との間の流体連通を可能にする。この実施形態では、導管は、本体１２のハウジング１４に設けられた把持部と着脱可能に係合可能であることが好ましく、これにより、使用時に、ユーザは、ハウジング１４から導管を手動で取り外すことが可能になり、それにより、本体１２から離れてホース部材３０の更なる物理的な伸長を可能にする。導管は、伸長可能な材料で更に形成されてもよく、及び／又は、追加の伸長性のために伸長可能（ｓｔｒｅｔｃｈａｂｌｅ）又は伸長可能（ｅｘｔｅｎｄａｂｌｅ）であるように構成されてもよい。更なる一実施形態では、真空モジュール２０は、本体１２から着脱可能に取り外し可能であるように更に配置され得、それにより、ユーザに更なる柔軟性を提供する。
【００３２】
本発明は、真空掃除機を提供する、特に排他的にではないが、電気的な制御モジュールの作動時に真空掃除機の吸引ヘッドを本体と接続するホースを自動的に伸長する及び引き込むことが可能である持ち運び可能な真空掃除機を提供するという点で有利である。ホース伸長長さの量の手動の調整は任意で提供され得るが、ホースの手動の組み立て及び／又は調整は要求されない。自動調整は、真空掃除機の動作状態に関わらず独立して動作可能であり、例えば、ホースの伸長及び引き込みは、真空ポンプをオン又はオフに切り替える必要なく制御可能である。従って、ユーザは、掃除機の真空ポンプの電源をオフする必要なく、ホースの長さを電気的に調整し得、掃除されるべき任意の所望の位置に吸引ヘッドを配置する。自動伸長及び引き込みはまた、ガイドユニット及び／又はホースの伸長可能な又は移動可能な部品へのあらゆる手動のロック及びロック解除段階を無効にし、このことは、そうでなければ、真空掃除プロセスを妨げ得る。加えて、ホースの自動伸長及び引き込みは、連続的に制御され得、即ち、長さ調整は、任意の予め設定された調整点又は伸長又は引き込みのセッションにより制限されないが、その最大値と最小値との間の無限の長さの調整可能性を有する。ホースの引き込み可能性は、真空掃除機のよりコンパクトな構成を更に可能にし、このことは、使用中の手持ち式真空掃除機の容易で簡便な取扱いを可能にし、並びに使用後の真空掃除機のより扱いやすい収納を容易にする。更に、本発明のクラッチシステムは、ホースが、その伸長の最大長に、又はその引き込みの最小長に達した場合に、伝達機構が自動的に停止することを可能にする。これは、伝達機構、ひいては真空掃除機が過度の伸長又は引き込みにより損傷を受けないようにする上で特に重要であり、ひいては、ユーザの安全を確保する。 
【００３３】
本説明は、本発明の原理を示している。したがって、当業者ならば、本発明の原理を具現化し、その主旨及び範囲内に含まれる様々な構成を、本明細書においては明示的に説明も示されもしていないが、案出できることが理解される。 
【００３４】
更に、本明細書において本発明の原理、態様、及び実施形態、並びにそれらの特定の例を記載する全ての記述は、それらの構造的等価物及び機能的等価物の両方を包含するよう意図されている。加えて、そのような等価物は、現在知られている等価物、並びに将来開発される等価物、すなわち、構造に関わらず、同一の機能を実行する開発されるあらゆる要素、の両方を含むことが意図されている。
【００３５】
本発明が、図面及び前述の説明において詳細に示され説明されているが、本発明は、特性において例示的であって限定的ではないと見なされるべきであり、例示的実施形態のみが示され説明されており、いかなる態様でも本発明の範囲を限定しないということが理解される。本明細書において説明された特徴の何れかが、何れかの実施形態で使用されてよいことが理解され得る。例示的な実施形態は、互いに排他的ではない。又は、本明細書に記載されていない他の実施形態と排他的ではない。従って、本発明はまた、上述された例示的な実施形態のうち１又は複数の組み合わせを含む実施形態も提供する。本明細書に記載の本発明の改良及び変更が、本発明の主旨及び範囲から逸脱することなく成され得、従って、添付の特許請求の範囲によって示される限定のみが課されるべきである。
【００３６】
以下の特許請求の範囲及び本発明の上記説明では、表現言語又は必要な意味合いに起因して、文脈が別途要求する場合を除き、「備える（ｃｏｍｐｒｉｓｅ）」という用語又は「備える（ｃｏｍｐｒｉｓｅｓ）」又は「備える（ｃｏｍｐｒｉｓｉｎｇ）」等の変形は、包含的な意味で用いられ、すなわち、記載される特徴の存在を特定するが、本発明の様々な実施形態での更なる特徴の存在又は追加を除外しない。 
【００３７】
何れかの従来技術の公報が本明細書において参照された場合、こうして参照することによって、当該公報が当技術分野における一般常識の一部を形成するものと認めることにはならないことが理解されるべきである。
［項目１］
ヘッド部と、
本体と、
上記本体に位置決めされる真空モジュールであって、上記ヘッド部を介して粉塵を回収するための吸引を生成するように適応される、真空モジュールと、
上記ヘッド部を上記真空モジュールと接続するように適応されるホース部材と、
上記ホース部材と関連するガイド部材と、
を備え、
上記ガイド部材は、上記ホース部材の動きをガイドするように適応され、これにより、上記ガイド部材の動きに応答して、上記ホース部材が、引き込み位置と伸長位置との間で自動的に伸長し、それにより上記本体に対して上記ヘッド部を位置決めする、
真空掃除機。
［項目２］
上記ガイド部材は、上記ホース部材と同一の伸長方向に沿って伸長可能である、項目１に記載の真空掃除機。
［項目３］
上記ガイド部材は、互いに移動可能に関連される複数のガイドユニットを含み、それにより、上記ホース部材の長手方向の軸と平行な伸長軸に沿って伸長する及び引き込む、項目１に記載の真空掃除機。
［項目４］
上記複数のガイドユニットは、互いにスライド可能に接続される複数の細長いサブユニットを含み、それにより、上記伸長軸に沿って伸長する又は引き込む、項目３に記載の真空掃除機。
［項目５］
上記複数のガイドユニットは、互いにテレスコピックに接続される複数の管状構造を含み、それにより、上記伸長軸に沿って伸長する又は引き込む、項目３又は４に記載の真空掃除機。
［項目６］
上記複数のガイドユニットのうち少なくとも１つは、少なくとも１つの位置決め手段を介して上記ホース部材に対して位置決めされる、項目３から５の何れか一項に記載の真空掃除機。
［項目７］
上記少なくとも１つの位置決め手段は、上記ホース部材と上記複数のガイドユニットのうち上記少なくとも１つとの間に固定して接続される、項目６に記載の真空掃除機。
［項目８］
上記位置決め手段は、上記ホース部材の位置を支持するために上記ガイド部材に設けられる、項目６又は７に記載の真空掃除機。
［項目９］
上記少なくとも１つの位置決め手段は、スリーブ部材を含む、項目６から８の何れか一項に記載の真空掃除機。
［項目１０］
上記ガイド部材の動きは、電力により作動可能である制御モジュールにより制御可能である、項目３から９の何れか一項に記載の真空掃除機。
［項目１１］
上記制御モジュールは、電気機構、油圧機構、空圧機構、及び電磁機構のうち１又は複数の下で動作可能である１又は複数の伝達システムを含む、項目１０に記載の真空掃除機。
［項目１２］
上記制御モジュールは、上記複数のガイドユニットと係合可能である細長い部材を含み、それにより、上記細長い部材の動きに応答して上記複数のガイドユニットを動かす、項目１０又は１１に記載の真空掃除機。
［項目１３］
上記細長い部材は、上記ガイド部材の長さの少なくとも一部に沿って進むように配置される、項目１２に記載の真空掃除機。
［項目１４］
上記細長い部材は、上記ガイド部材の中空部内に、及び上記ガイド部材の中空部内に沿って位置決めされるように配置される、項目１２又は１３に記載の真空掃除機。
［項目１５］
上記細長い部材は、可撓性である、項目１２から１４の何れか一項に記載の真空掃除機。
［項目１６］
上記細長い部材は、密閉されているが、上記ガイド部材の上記中空部内で移動可能であるように配置される、項目１４に記載の真空掃除機。
［項目１７］
上記細長い部材は、少なくとも１つのベルト部材を含む、項目１２から１６の何れか一項に記載の真空掃除機。
［項目１８］
上記ベルト部材は、歯付きベルト部材である、項目１７に記載の真空掃除機。
［項目１９］
上記ベルト部材は、上記制御モジュールのギアシステムと係合可能であり、それにより、上記ギアシステムの回転方向の動きに応答して上記複数のガイドユニットを動かす、項目１７又は１８に記載の真空掃除機。
［項目２０］
上記制御モジュールは、上記ギアシステムと係合可能である少なくとも１つのクラッチプレートを有する少なくとも１つのクラッチシステムを含む、項目１９に記載の真空掃除機。
［項目２１］
上記少なくとも１つのクラッチプレートは、１又は複数の付勢手段を介して上記ギアシステムに対して付勢されるように適応される、項目２０に記載の真空掃除機。
［項目２２］
上記ホース部材は、弾性のホースを含む、項目１から２１の何れか一項に記載の真空掃除機。
［項目２３］
上記ホース部材は、伸長可能なホースを含む、項目１から２２の何れか一項に記載の真空掃除機。
［項目２４］
上記制御モジュールは、上記真空モジュールから独立して動作可能である、項目１０から２１の何れか一項に記載の真空掃除機。
［項目２５］
上記複数のガイドユニットは互いに対して手動で移動可能であり、それにより、上記伸長軸に沿って上記ガイド部材を伸長する及び引き込む、項目３から２１の何れか一項に記載の真空掃除機。
［項目２６］
上記複数のガイドユニットのうち１又は複数は、１又は複数のロック手段を介して互いに対して手動で位置決めされるように適応される、項目２５に記載の真空掃除機。
【図１】
0006821887.tif 000002
【図２】
0006821887.tif 000003
【図３】
0006821887.tif 000004
【図４】
0006821887.tif 000005
【図５】
0006821887.tif 000006
【図６】
0006821887.tif 000007
【図７】
0006821887.tif 000008
【図８】
0006821887.tif 000009
【図９】
0006821887.tif 000010